(57)【要約】【課題】ビデオカメラで対面モード時に、表示部へ正しく文字を表示するためには、情報量の多い文字情報を左右反転処理する必要があった。【解決手段】ビデオカメラ１０は、回動自在に保持され、情報を表示する表示部１１２と、表示部１１２の回動位置を検出する回動検出部１０４と、表示部１１２の表示面が撮像部１０１の撮像方向と略同一方向であることを検出した際に、画像処理部１０２が出力する映像信号を左右反転する映像反転部１１０と、文字情報格納部１０５に格納された文字情報と、映像反転部１１０が出力する映像信号とを重畳する文字情報重畳部１０８と、表示部１１２が撮像部１０１の撮像方向と略同一方向であることを検出した際に、文字情報重畳部１０８が出力する映像信号を上下及び左右反転し、表示部１１２に表示する映像回転部１１１と、を備える。【選択図】図１
2010263279.tif 000002
【特許請求の範囲】
【請求項１】
被写体像を撮像する撮像部と、
前記撮像部の出力を画像処理する画像処理部と、
回動自在に保持され、情報を表示する表示部と、
前記表示部の回動位置を検出する回動検出部と、
前記回動検出部により、前記表示部の表示面が前記撮像部の撮像方向と略同一方向であることを検出した際に、前記画像処理部が出力する映像信号を左右反転する映像反転部と、
文字情報を格納する文字情報格納部と、
前記文字情報格納部に格納された文字情報と、前記映像反転部が出力する映像信号とを重畳する文字情報重畳部と、
前記回動検出部により、前記表示部が前記撮像部の撮像方向と略同一方向であることを検出した際に、前記文字情報重畳部が出力する映像信号を上下及び左右反転し、上下左右反転した映像信号を前記表示部に表示する映像回転部と、
を備える撮像装置。
【請求項２】
前記撮像部の撮像方向と表示面が略対向に設置された第２の表示部と、
前記文字情報格納部に格納された文字情報と、前記画像処理部が出力する映像信号とを重畳し、重畳した映像信号を前記第２の表示部に表示する第２の文字情報重畳部と、
を備える請求項１に記載の撮像装置。
【請求項３】
前記文字情報格納部に格納された文字情報を基に、前記文字情報重畳部または前記第２の文字情報重畳部で重畳される文字情報の表示位置、表示サイズ、及び文字フォントの少なくともいずれかを変更する文字発生部を、
さらに備える請求項１又は２に記載の撮像装置。
【発明の詳細な説明】
【技術分野】
【０００１】
本発明は、ＬＣＤ（液晶表示ディスプレイ）などの表示部を被写体と相対する方向に回転することが出来るビデオカメラなどの撮像装置に関するものである。
【背景技術】
【０００２】
通常ビデオカメラを使用する場合は、図９（ａ）に示すように、カメラ部１０１を前方に向け、表示部１１２を後方に向けることにより、カメラ部１０１で前方を撮像し、表示部１２１で撮像した映像を確認しながら撮影を行う。このとき、表示部ａ１２１及び表示部ｂ１１３に表示される映像は、反転などはなく撮影者から見た通りの映像が表示される。このように、表示面の前方を撮影する場合を通常モードと呼ぶ。
【０００３】
また、図９（ｂ）及び図９（ｃ）に示すようにカメラ部１０１を前方に向け、表示部ａ１１２も前方に向けることにより、カメラ部１０１で被撮影者を撮像し、被撮影者は表示部ａ１１２で撮像した映像を確認し、また撮影者は表示部ｂ１１３で撮像した映像を確認しながら撮影を行う。このとき、図９（ａ）の状態から表示部ａ１１２を前方に回転させて図９（ｂ）及び図９（ｃ）の状態にすると、表示部ａ１１２は底面が上になる。従って、表示部ａ１１２には上下反転した映像を表示しなければならない。また、左右の動きに関しては、前方の被撮影者から見て不自然な動きにならないように、鏡と同じく左右反転して表示する。このとき、表示部ｂ１１３は上下が反転することはないため、通常モード時と同様に前方から見た通りの映像を表示する。このようにして表示面を前方の被写体側に向けて撮影する場合を対面モードと呼ぶ。
【０００４】
一般的なビデオカメラでは、表示部ａ１１２及び表示部ｂ１１３に、日付、時刻などの文字情報を映像信号に重畳して表示する機能を備えている。図９（ａ）に示すような通常モードでも、図９（ｂ）及び図９（ｃ）に示すような対面モードでも、表示部ａ１１２に文字情報を正しく表示する従来技術として特許文献１がある。
【０００５】
特許文献１では、まず左右反転した表示用フォントを映像信号に重畳し、その映像信号を上下左右反転することで、図９（ｂ）及び図９（ｃ）に示すような対面モード時に表示部ａ１１２に表示する映像信号を生成する。
【先行技術文献】
【特許文献】
【０００６】
【特許文献１】特開２００１−１４４９９８号公報
【発明の概要】
【発明が解決しようとする課題】
【０００７】
表示用映像信号に重畳される文字情報には、一般的に文字部分以外を背景となる表示用映像信号に透過させるための透過情報を含む。上記特許文献１によって提案される文字情報を左右反転する処理を行うには、透過情報を持たない通常の映像信号の左右反転処理を行うよりも多くのメモリが必要となる。またこのとき、文字情報を階層的に複数回多重する場合には、階層の数だけ文字情報の左右反転処理が必要となるという問題があった。
【０００８】
本発明は、上記従来の問題点を解決するもので、文字情報を左右反転処理することなく、対面モード時に回転した表示部ａに対して、文字を正しく表示できる撮像装置を提供することを目的とするものである。
【０００９】
また本発明は、対面モード時にも回転せずに撮影者から見ることのできる表示部ｂに対しても、回転した表示部ａと同時に表示を行いながら、表示部ａと表示部ｂの両方ともに文字を正しく表示できる撮像装置を提供することを目的とするものである。
【課題を解決するための手段】
【００１０】
上述した課題を解決するために、本発明の撮像装置は、被写体像を撮像する撮像部と、前記撮像部の出力を画像処理する画像処理部と、回動自在に保持され、情報を表示する表示部と、前記表示部の回動位置を検出する回動検出部と、前記回動検出部により、前記表示部の表示面が前記撮像部の撮像方向と略同一方向であることを検出した際に、前記画像処理部が出力する映像信号を左右反転する映像反転部と、文字情報を格納する文字情報格納部と、前記文字情報格納部に格納された文字情報と、前記映像反転部が出力する映像信号とを重畳する文字情報重畳部と、前記回動検出部により、前記表示部が前記撮像部の撮像方向と略同一方向であることを検出した際に、前記文字情報重畳部が出力する映像信号を上下及び左右反転し、上下左右反転した映像信号を前記表示部に表示する映像回転部と、を備える。
【発明の効果】
【００１１】
本発明の撮像装置は、情報量の多い文字フォント情報を左右反転させることなく、対面モードでも文字を正しく表示することが出来る。
【００１２】
また本発明の撮像装置は、回転した表示部と、回転していない表示部に対して、同時に文字を正しく表示することが出来る。
【図面の簡単な説明】
【００１３】
【図１】第１の実施の形態における撮像装置の構成を示すブロック図
【図２】第１の実施の形態における撮像装置の異なるモードにおける外観斜視図
【図３】第１の実施の形態における映像信号および反転映像信号の映像イメージ図
【図４】第１の実施の形態における文字、映像信号及び重畳映像信号の映像イメージ図
【図５】第１の実施の形態における異なるモードでの文字、映像信号及び重畳映像信号の映像イメージ図
【図６】第１の実施の形態における他の表示部に表示される文字、映像信号及び重畳映像信号の映像イメージ図
【図７】第１の実施の形態における通常モード時の映像信号の映像イメージ図
【図８】第１の実施の形態における対面モード時の映像信号の映像イメージ図
【図９】従来の撮像装置の異なるモードにおける外観斜視図
【発明を実施するための形態】
【００１４】
以下、一実施の形態について、図面を用いて詳細に説明する。
（実施の形態１）
（１−１．構成）
図１は、実施の形態１におけるビデオカメラ１０の構成を示すブロック図である。
【００１５】
図１において、ビデオカメラ１０は、カメラ部１０１と、映像信号処理部１０２と、マイクロコンピュータ１０３と、回転量検出部１０４と、フォント格納部１０５と、文字発生部ａ１０６と、文字発生部ｂ１０７と、文字多重部ａ１０８と、文字多重部ｂ１０９と、映像反転部１１０と、映像回転部１１１と、表示部ａ１１２と、表示部ｂ１１３と、を含む。
【００１６】
カメラ部１０１は、被写体像を撮像し、カメラ出力映像信号１２１を出力する。カメラ部１０１は、光学系と、撮像素子と、ＡＤコンバータを含む。光学系は、対物レンズ、ズームレンズ、絞り、ＯＩＳ（Ｏｐｔｉｃａｌ  Ｉｍａｇｅ  Ｓｔａｂｉｌｉｚｅｒ）ユニット、フォーカスレンズ等を含む。光学系は、被写体からの光を集光し、被写体像を形成する。撮像素子は、光学系で形成された被写体像を撮像して、画像データを生成する。撮像素子は、ＣＭＯＳイメージセンサー、若しくはＣＣＤイメージセンサーである。撮像素子は、単板式であってもよいし、Ｒ、Ｇ、Ｂの信号毎に撮像素子を設けた３板式であってもよい。ＡＤコンバータは、撮像素子で生成された画像データをデジタル信号に変換する。
【００１７】
映像信号処理部１０２は、カメラ出力映像信号１２１に対して、例えば電子ズームなどの映像信号処理を行い、表示用映像信号１２２を出力する。
【００１８】
回転量検出部１０４は、カメラ部１０１と表示部ａ１１２との回転量を検出し、回転量１２５を出力する。映像反転部１１０は、回転量１２５が所定の値を超えた場合、表示用映像信号１２２を左右反転して表示用反転映像信号１３０を出力する。
【００１９】
マイクロコンピュータ１０３は、ビデオカメラ１０全体を制御する制御手段である。マイクロコンピュータ１０３は、表示部ａ１１２及び表示部ｂ１１３に表示する文字とその画面位置を指示する為の設定値１２３及び設定値１２４を出力する。
【００２０】
フォント格納部１０５は、文字発生部ａ１０６及び文字発生部ｂ１０７に指示されたフォントアドレス１２６及びフォントアドレス１２７の文字フォント１２８及び文字フォント１２９を出力する。フォント格納部１０５は、アウトラインフォントが格納されている。文字発生部ａ１０６は、マイクロコンピュータ１０３により指示された設定値１２４に従い、フォント格納部１０５にフォントアドレス１２６を出力し、返ってきた文字フォント１２８を表示用反転映像信号１３０に同期したタイミングで文字１３１を出力する。文字発生部ｂ１０７は、マイクロコンピュータ１０３により指示された設定値１２３に従い、フォント格納部１０５にフォントアドレス１２７を出力し、返ってきた文字フォント１２９を表示用映像信号１２２に同期したタイミングで文字１３２を出力する。文字多重部ａ１０８は、表示用反転映像信号１３０に文字１３１を多重し、文字多重反転映像信号１３３を出力する。文字多重部ｂ１０９は、表示用映像信号１０２に文字１３２を多重し、文字多重映像信号１３４を出力する。
【００２１】
映像回転部１１１は、回転量１２５が所定の値を超えた場合、文字多重反転映像信号１３３を１８０度回転して回転映像信号１３５を出力する。表示部ａ１１２は、回転映像信号１３５を表示する。表示部ａ１１２は、ビデオカメラ１０の本体に回動自在に保持される液晶モニタである。表示部ｂ１１３は、文字多重映像信号１３４を表示する。表示部ｂ１１３は、電子ビューファインダ（以下、ＥＶＦと呼ぶ）である。
【００２２】
図２（ａ）、（ｂ）、（ｃ）は本実施の形態１におけるビデオカメラ１０の外観斜視図である。
【００２３】
ビデオカメラ１０は、カメラ部１０１と、図の矢印方向に回転が可能な液晶モニタである表示部ａ１１２と、ＥＶＦである表示部ｂ１１３と、を含む。
（１−２．本発明の構成との対応関係）
カメラ部１０１は、本発明の撮像部の一例である。映像信号処理部１０２は、本発明の画像処理部の一例である。表示部ａ１１２は、本発明の表示部の一例である。回転量検出部１０４は、本発明の回動検出部の一例である。映像反転部１１０は、本発明の映像反転部の一例である。フォント格納部１０５は、本発明の文字情報格納部の一例である。文字多重部ａ１０８は、本発明の文字情報重畳部の一例である。映像回転部１１１は、本発明の映像回転部の一例である。表示部ｂ１１３は、本発明の第２の表示部の一例である。文字多重部ｂ１０９は、本発明の第２の文字情報重畳部の一例である。文字発生部ａ１０６及び文字発生部ｂ１０７からなる構成は、本発明の文字発生部の一例である。
（２．動作）
次にこのように構成されたビデオカメラ１０の動作について説明する。
【００２４】
カメラ部１０１に対して回転が可能な表示部ａ１１２を有するビデオカメラ１０を使用する場合は、通常次の２通りの撮影の仕方がある。
【００２５】
通常ビデオカメラ１０を使用する場合は、図２（ａ）に示すように、カメラ部１０１を前方に向け、表示部ａ１１２を後方に向けることにより、カメラ部１０１で前方を撮像し、表示部ａ１２１で撮像した映像を確認しながら撮影を行う。このとき、表示部ａ１２１及び表示部ｂ１１３に表示される映像は、反転などはなく撮影者から見た通りの映像が表示される。このように、表示面の前方を撮影する場合を通常モードと呼ぶ。
【００２６】
また、図２（ｂ）及び図２（ｃ）に示すようにカメラ部１０１を前方に向け、表示部ａ１１２も前方に向けることにより、カメラ部１０１で被撮影者を撮像し、被撮影者は表示部ａ１１２で撮像した映像を確認し、また撮影者は表示部ｂ１１３で撮像した映像を確認しながら撮影を行う。このとき、図２（ａ）の状態から表示部ａ１１２を前方に回転させて図２（ｂ）及び図２（ｃ）の状態にすると、表示部ａ１１２は底面が上になる。従って、表示部ａ１１２には上下反転した映像を表示しなければならない。また、左右の動きに関しては、前方の被撮影者から見て不自然な動きにならないように、鏡と同じく左右反転して表示する。このとき、表示部ｂ１１３は上下が反転することはないため、通常モード時と同様に前方から見た通りの映像を表示する。このようにして表示面を前方の被写体側に向けて撮影する場合を対面モードと呼ぶ。
【００２７】
例えば、図２（ａ）の状態を回転量０度とし、表示部ａ１１２の回転方向が矢印の方向を正方向、逆方向を負の方向とする。図２（ｂ）及び図２（ｃ）の状態は回転量１８０度である。例えば、表示部ａ１１２はカメラ部１０１に対して−９０度から＋１８０度まで回転できる。ビデオカメラ１０の本体は、図１の表示部ａ１１２と表示部ｂ１１３とを除くすべてのブロックを内蔵するものである。この時の動作について図１を用いて説明する。
【００２８】
カメラ部１０１で撮像され、出力されたカメラ出力映像信号１２１は、映像信号処理部１０２において、電子ズームなどの映像信号処理が施され、表示用映像信号１２２が出力される。
【００２９】
回転量検出部１０４は、カメラ部１０１と表示部ａ１１２との回転量１２５を検出し、映像反転部１１０と映像回転部１１１とに出力する。図２（ａ）の状態では回転量１２５は０度を、図２（ｂ）及び図２（ｃ）の状態では１８０度を出力する。
【００３０】
映像反転部１１０は、例えば回転量１２５が１７０度以上１８０度以下の時、表示用映像信号１２２を反転し表示用反転映像信号１３０を出力する。また、回転量１２５が−９０度以上から１７０度未満の時は、表示用映像信号１２２を反転せずに表示用反転映像信号１３０を出力する。
【００３１】
図３に表示用映像信号１２２と表示用反転映像信号１３０の映像イメージを示す。図３（ａ）は、映像信号処理部１０２が出力した表示用映像信号１２２の映像イメージである。図３（ｂ）は、回転量１２５が０度の時、すなわち映像反転部１１０で反転処理を行わない場合（図２（ａ）の状態）の表示用反転映像信号１３０の映像イメージである。図３（ｃ）は、回転量１２５が１８０度の時、すなわち映像反転部１１０で反転処理を行った場合（図２（ｂ）及び図２（ｃ）の状態）の表示用反転映像信号１３０の映像イメージである。
【００３２】
マイクロコンピュータ１０３は、シャッタースピードや絞りの状態、バッテリーの残量などの動作状態を示すために必要な文字や記号などを表示位置などとともに設定値１２４及び設定値１２３で、文字発生部ａ１０６及び文字発生部ｂ１０７に指示する。
【００３３】
文字発生部ａ１０６は設定値１２４で指示された文字に対するフォントアドレス１２６をフォント格納部１０５に出力し、フォント格納部１０５から文字フォント１２８を受け取る。受け取った文字フォント１２８は設定値１２４で指示された画面上の位置に表示できるように、表示用反転映像信号１３０に同期したタイミングで文字多重部ａ１０８に出力する。
【００３４】
文字多重部ａ１０８は、表示用反転映像信号１３０と文字１３１とを多重し、多重された信号である文字多重反転映像信号１３３を出力する。図４は図２（ａ）の状態での表示用反転映像信号１３０と文字１３１と文字多重反転映像信号１３３との映像イメージを示す。図５は図２（ｂ）及び図２（ｃ）の状態での表示用反転映像信号１３０と文字１３１と文字多重反転映像信号１３３との映像イメージを示す。
【００３５】
文字発生部ｂ１０７は、設定値１２３で指示された文字に対するフォントアドレス１２７をフォント格納部１０５に出力し、フォント格納部１０５から文字フォント１２９を受け取る。受け取った文字フォント１３２は設定値１２３で指示された画面上の位置に表示できるように、表示用映像信号１２２に同期したタイミングで文字多重部ｂ１０９に出力する。
【００３６】
文字多重部ｂ１０９は、表示用映像信号１２２と文字１３２とを多重し、多重された信号である文字多重映像信号１３４を出力する。文字多重映像信号１３４は、図２（ａ）の状態でも、図２（ｂ）及び図２（ｃ）の状態でも、回転量１２５によって出力は変化しない。図６に、表示用映像信号１２２と文字１３２と文字多重映像信号１３４との映像イメージを示す。
【００３７】
映像回転部１１１は、例えば回転量１２５が１７０度以上１８０度以下の時、文字多重反転映像信号１３３を１８０度回転し、回転映像信号１３５を出力する。また、回転量１２５が−９０度以上から１７０度未満の時は、文字多重反転映像信号１３３を１８０度回転せずに回転映像信号１３５を出力する。図７は図２（ａ）の状態での文字多重反転映像信号１３３と回転映像信号１３５との映像イメージを示す。図７（ａ）は文字多重反転映像信号１３３の映像イメージであり、図７（ｂ）は回転映像信号１３５の映像イメージである。図２（ａ）の状態では、回転量１２５は０度なので、文字多重反転映像信号１３３は、１８０度回転されずに、回転映像信号１３５となって出力される。
【００３８】
図８は図２（ｂ）及び図２（ｃ）の状態での文字多重反転映像信号１３３と回転映像信号１３５との映像イメージを示す。図８（ａ）は文字多重反転映像信号１３３の映像イメージであり、図８（ｂ）は回転映像信号１３５の映像イメージである。図２（ｂ）及び図２（ｃ）の状態は、回転量１２５は１８０度なので、文字多重反転映像信号１３３は１８０度回転され、回転映像信号１３５となって出力される。
【００３９】
表示部ａ１１２は回転映像信号１３５を表示する。前述したように、図２（ｂ）及び図２（ｃ）の状態では、表示部ａ１１２は左右反転した上で１８０度回転した回転映像信号１３５を表示する。従って、図２（ｂ）及び図２（ｃ）のような対面モードでの使用時には、被撮影者から表示部ａ１１２を見ると、上下方向は通常通りに見え、左右方向は鏡に映ったような左右反転した見え方になる。また文字１３１は、被撮影者から表示部ａ１１２を見たとき通常通りに見える。
【００４０】
表示部ｂ１１３は文字多重映像信号１３４を表示する。前述したように、図２（ａ）の状態でも、図２（ｂ）及び図２（ｃ）の状態でも、表示部ｂ１３４の見え方は変化せず、撮影者から見た通りの映像が表示される。
【００４１】
以上のように本実施の形態１では、図２（ａ）に示す通常モード時は、映像反転部１１０及び、映像回転部１１１では映像信号の反転及び回転は行わず、通常どおり表示部ａ１１２に表示する。また、図２（ｂ）及び図２（ｃ）に示す対面モード時は、まず映像反転部１１０で表示用映像信号のみを反転し、文字多重部ａ１０８で表示用反転映像信号１３０と多重したのち、映像回転部１１１で反転して文字を多重した文字多重反転映像信号１３３をさらに１８０度回転することにより、図２（ｂ）及び図２（ｃ）の状態で表示部ａ１１２を見たとき、映像信号は鏡のように左右反転した映像になるが、文字は反転せずに通常どおり表示することが出来る。
【００４２】
また、通常モード時、対面モード時に関わらず、表示部ｂ１１３には、常に通常どおりの映像を表示することが出来る。
【００４３】
以上の構成により、文字多重前の文字フォントを反転することなく、対面モード時でも文字の表示が可能になる。従って、通常の映像信号に比べて情報量の多い文字フォントを反転ではなく、映像信号の反転で対面モード時の表示が実現できるため、必要なメモリを節約することが出来る。
【００４４】
なお、本実施の形態１ではカメラでの撮影時に付いて説明してきたが、ＶＴＲ再生信号や、外部入力に対しても同様の効果を得ることが出来る。
【００４５】
さらに、本実施の形態１の回転量が所定の値を超えた場合とは、回転量１２５が１７０度以上１８０度以下の場合に限らない。回転量１２５が１６５度以上１８０度以下の場合など、要するに対面モードで撮影するような回転量でありさえすればよい。
【００４６】
さらに、本実施の形態１では、フォント格納部１０５には、アウトラインフォントが格納されているとして説明したが、これに限らない。フォント格納部１０５に、ビットマップ形式のフォントが格納されていても構わない。
【００４７】
さらに、本実施の形態１では、フォントアドレスを指定してフォント格納部１０５からフォントを取り出すとして説明したが、これに限らない。フォントアドレスの替わりに、フォントを一意に特定するフォントＩＤを指定してフォント格納部１０５からフォントを取り出しても構わない。要するにフォントを一意に特定出来るようなフォントの指定方法でフォントを指定してフォント格納部からフォントを取り出しさえすればよい。
【００４８】
さらに、ビデオカメラ１０の各手段の全部または一部の機能をハードウェアによって実現しても構わないし、コンピュータのプログラムによってソフトウェア的に実現しても構わない。
【００４９】
さらに、ビデオカメラ１０の各手段の全部または一部の機能をコンピュータで実行させるためのプログラムを格納していることを特徴とするプログラム記録媒体も本発明に属する。
【産業上の利用可能性】
【００５０】
本発明は、ＬＣＤなど表示部を備えた撮像機器、例えばデジタルビデオカメラやデジタルスチルカメラなどに適用することができる。
【符号の説明】
【００５１】
１０１    カメラ部
１０２    映像信号処理部
１０３    マイクロコンピュータ
１０４    回転量検出部
１０５    フォント格納部
１０６    文字発生部ａ
１０７    文字発生部ｂ
１０８    文字多重部ａ
１０９    文字多重部ｂ
１１０    映像反転部
１１１    映像回転部
１１２    表示部ａ
１１３    表示部ｂ
【図１】
2010263279.tif 000003
【図２】
2010263279.tif 000004
【図３】
2010263279.tif 000005
【図４】
2010263279.tif 000006
【図５】
2010263279.tif 000007
【図６】
2010263279.tif 000008
【図７】
2010263279.tif 000009
【図８】
2010263279.tif 000010
【図９】
2010263279.tif 000011